(57)【要約】【課題】光源の発した熱を効果的に放散できる照明器具を提供する。【解決手段】光源ホルダー６０は、光源設置部７０と、電源収納部８０とを備える。光源設置部７０は、光源４５が設置される設置部６２を含む。電源収納部８０には、電源部１００が収納される。設置部６２は、電源収納部８０に対向するとともに、電源収納部８０に対して所定間隔Ｄ１をあけて配置される。光源設置部７０は、設置部６２に対して段差Ｌを有する段差部７２を含む。【選択図】図７
2016225029.tif 000002
【特許請求の範囲】
【請求項１】
光源が設置される設置部を含む光源設置部と、
電源が収納される電源収納部と
を備え、
前記設置部は、前記電源収納部に対向するとともに、前記電源収納部に対して所定間隔をあけて配置される、光源ホルダー。
【請求項２】
前記光源設置部及び前記電源収納部のうちの少なくとも一方は、熱を放散する放熱部を含む、請求項１に記載の光源ホルダー。
【請求項３】
前記光源設置部及び前記電源収納部のうちの少なくとも一方は、前記設置部に対して段差を有する段差部を含む、請求項１又は請求項２に記載の光源ホルダー。
【請求項４】
前記電源収納部は、前記電源が収納される収納室と、気体を対流させる対流室とを含む、請求項１から請求項３のいずれか１項に記載の光源ホルダー。
【請求項５】
前記電源収納部は、壁部を含み、
前記設置部の厚みは、前記壁部の厚みよりも大きい、請求項１から請求項４のいずれか１項に記載の光源ホルダー。
【請求項６】
請求項１から請求項５のいずれか１項に記載の光源ホルダーと、
前記光源と、
前記電源と
を備える、光源ユニット。
【請求項７】
前記電源は、電源電圧を前記光源に印加する電源回路と、前記電源回路が実装される基板とを含み、
前記基板は、前記光源ホルダーの前記設置部に沿って配置される、請求項６に記載の光源ユニット。
【請求項８】
前記光源を覆うカバーをさらに備える、請求項６又は請求項７に記載の光源ユニット。
【請求項９】
請求項６から請求項８のいずれか１項に記載の光源ユニットを備える、照明器具。
【発明の詳細な説明】
【技術分野】
【０００１】
本発明は、光源ホルダー、光源ユニット、及び照明器具に関する。
【背景技術】
【０００２】
特許文献１に記載されたＬＥＤランプは、光源としての複数のＬＥＤ素子と、基板と、電源部とを備える。
【先行技術文献】
【特許文献】
【０００３】
【特許文献１】特開２０１５−６４９４７号公報
【発明の概要】
【発明が解決しようとする課題】
【０００４】
しかしながら、特許文献１に記載されたＬＥＤランプでは、１つの基板に、ＬＥＤ素子と電源部とが実装される。そして、電源部は熱を発する。従って、電源部は、ＬＥＤ素子が発した熱の放散を妨げる。その結果、ＬＥＤ素子の温度が大きく上昇する可能性がある。
【０００５】
本発明は上記課題に鑑みてなされたものであり、その目的は、光源の発した熱を効果的に放散できる光源ホルダー、光源ユニット、及び照明器具を提供することにある。
【課題を解決するための手段】
【０００６】
本願に開示する光源ホルダーは、光源設置部と、電源収納部とを備える。光源設置部は、光源が設置される設置部を含む。電源収納部には、電源が収納される。前記設置部は、前記電源収納部に対向するとともに、前記電源収納部に対して所定間隔をあけて配置される。
【０００７】
本願に開示する光源ホルダーにおいて、前記光源設置部及び前記電源収納部のうちの少なくとも一方は、熱を放散する放熱部を含むことが好ましい。
【０００８】
本願に開示する光源ホルダーにおいて、前記光源設置部及び前記電源収納部のうちの少なくとも一方は、前記設置部に対して段差を有する段差部を含むことが好ましい。
【０００９】
本願に開示する光源ホルダーにおいて、前記電源収納部は、前記電源が収納される収納室と、気体を対流させる対流室とを含むことが好ましい。
【００１０】
本願に開示する光源ホルダーにおいて、前記電源収納部は、壁部を含むことが好ましい。前記設置部の厚みは、前記壁部の厚みよりも大きいことが好ましい。
【００１１】
本願に開示する光源ユニットは、上記光源ホルダーと、前記光源と、前記電源とを備える。
【００１２】
本願に開示する光源ユニットにおいて、前記電源は、電源電圧を前記光源に印加する電源回路と、前記電源回路が実装される基板とを含むことが好ましい。前記基板は、前記光源ホルダーの前記設置部に沿って配置されることが好ましい。
【００１３】
本願に開示する光源ユニットにおいて、前記光源を覆うカバーをさらに備えることが好ましい。
【００１４】
本願に開示する照明器具は、上記光源ユニットを備える。
【発明の効果】
【００１５】
本発明によれば、光源の発した熱を効果的に放散できる。
【図面の簡単な説明】
【００１６】
【図１】本発明の実施形態に係る照明器具を示す側面図である。
【図２】本発明の実施形態に係る照明器具の光源ユニットを示す分解斜視図である。
【図３】本発明の実施形態に係る照明器具の光源ホルダーを光源部の設置される側から示す斜視図である。
【図４】本発明の実施形態に係る照明器具の光源ホルダーを光源部の設置される側から示す平面図である。
【図５】本発明の実施形態に係る照明器具の光源ホルダーを電源部の収納される側から示す斜視図である。
【図６】本発明の実施形態に係る照明器具の光源ホルダーを電源部の収納される側から示す底面図である。
【図７】図４のＡ−Ａ線に沿った断面図である。
【図８】図４のＢ−Ｂ線に沿った断面図である。
【図９】本発明の実施形態に係る照明器具を示す断面図である。
【図１０】本発明の実施形態の第１変形例に係る光源ホルダーを光源部の設置される側から示す斜視図である。
【図１１】本発明の実施形態の第２変形例に係る光源ホルダーを光源部の設置される側から示す斜視図である。
【発明を実施するための形態】
【００１７】
以下、本発明の実施形態について、図面を参照しながら説明する。なお、図中、同一または相当部分については同一の参照符号を付して説明を繰り返さない。
【００１８】
図１は、本発明の実施形態に係る照明器具１を示す側面図である。図１に示すように、照明器具１は、例えば、ポーチ灯である。照明器具１は、光源ユニット１０と、保持部１５と、セード２０と、グローブ２５とを備える。光源ユニット１０は、照明器具１の内部に配置される。光源ユニット１０は、グローブ２５の側に光を出射する。光源ユニット１０は、カバー３０と、光源部４０と、光源ホルダー６０と、電源部１００（電源）とを備える。
【００１９】
保持部１５は光源ユニット１０を保持する。セード２０は、略傘状であり、光源ユニット１０が出射した光を拡散、反射、又は吸収する。グローブ２５は、略壺状であり、光源ユニット１０を覆う。グローブ２５は、光源ユニット１０が出射した光を透過させる。
【００２０】
図２は、光源ユニット１０を示す分解斜視図である。図２では、図面の簡略化のため電源部１００を省略している。図２に示すように、光源ホルダー６０は、略円板状の設置部６２を備える。設置部６２には、光源部４０が設置される。設置部６２は、２つのネジ孔６６と、２つの貫通孔６８とを有する。
【００２１】
光源部４０は、光源４５と、ソケット４６と、２つの爪部５２と、２つのネジ５４とを含む。光源４５は、ＬＥＤ（Ｌｉｇｈｔ  Ｅｍｉｔｔｉｎｇ  Ｄｉｏｄｅ）群４２と、基板４４とを含む。
【００２２】
ソケット４６は光源４５を保持する。ソケット４６は、絶縁体により形成される。ソケット４６の表面には略円形の開口部５０が形成される。開口部５０からＬＥＤ群４２が露出している。ソケット４６には、開口部５０を挟むように、２つの貫通孔４８が形成される。貫通孔４８にはネジ５４が通される。そして、ネジ５４が、光源ホルダー６０のネジ孔６６に螺合される。その結果、光源部４０が光源ホルダー６０に設置される。具体的には、設置部６２に光源部４０が設置される。また、図面の簡略化のため図示を省略したが、基板４４から延びる２本の電源線が、光源ホルダー６０の貫通孔６８に通され、光源ホルダー６０の内部に導かれる。そして、電源線は、電源部１００に接続される。電源線は、電源部１００が生成した電源電圧を、基板４４を介してＬＥＤ群４２に印加する。
【００２３】
光源４５は光を出射する。具体的には、ＬＥＤ群４２は光を出射する。ＬＥＤ群４２は複数のＬＥＤを含む。ＬＥＤ群４２は、略円形状又は略多角形状の発光領域を持つ。ＬＥＤ群４２は、略円形状又は略多角形状の基板４４の実装面に実装される。ＬＥＤ群４２は、ＣＯＢ（Ｃｈｉｐ  ｏｎ  Ｂｏａｒｄ）タイプである。ＣＯＢタイプは、複数のＬＥＤを蛍光体で封止することによりＬＥＤ群４２を形成するタイプである。なお、ＬＥＤ群４２は、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板４４の実装面に載置して基板４４の導電パターンに電気的に接続することによりＬＥＤ群４２を形成するタイプである。また、ＬＥＤ群４２に代えて、１つのＬＥＤを基板４４に実装してもよい。
【００２４】
カバー３０は、略ドーム状であり、光源４５を覆う。カバー３０は、透明又は半透明であり、光源４５が出射した光を透過させる。ただし、カバー３０は、光源４５が出射した光を拡散して出射してもよい。例えば、カバー３０は、光拡散材料を混ぜた樹脂を略ドーム状に成形することによって形成される。例えば、カバー３０は、透明又は半透明の略ドーム状の部材の光出射面又は光入射面に微小な凹凸を設けることによって形成される。例えば、カバー３０は、乳白色のような色彩を有していてもよい。さらに、カバー３０は、略ドーム状に限定されず、任意の形状であってもよい。例えば、カバー３０は、レンズ機能を有する形状を有していてもよい。レンズ機能とは、光を屈折させて、光を発散又は収束させる機能のことである。
【００２５】
カバー３０には、２つの係合孔３４が形成される。係合孔３４には、光源部４０の爪部５２が係合される。その結果、カバー３０が光源部４０に装着される。
【００２６】
図３〜図６を参照して、光源ホルダー６０について説明する。図３は、光源ホルダー６０を光源部４０の設置される側から示す斜視図である。図４は、光源ホルダー６０を光源部４０の設置される側から示す平面図である。図５は、光源ホルダー６０を電源部１００の収納される側から示す斜視図である。図６は、光源ホルダー６０を電源部１００の収納される側から示す底面図である。
【００２７】
図３及び図４に示すように、光源ホルダー６０は、光源設置部７０と、電源収納部８０とを備える。光源ホルダー６０は、例えば、金属製であり、熱伝導性が良く軽量である点でアルミニウム製であることが好ましい。光源ホルダー６０は、光源設置部７０と電源収納部８０とを金型により一体成形することにより形成される。
【００２８】
光源設置部７０は、略有底円筒状であり、設置部６２と、第１壁部６４と、段差部７２とを含む。第１壁部６４は、略円筒状であり、設置部６２の円周から電源収納部８０に向かって段差部７２まで延びている。段差部７２は、略円環状であるとともに、略平板状である。段差部７２は、設置部６２と略平行である。段差部７２は、設置部６２に対して段差Ｌを有する。段差部７２には、例えば、４つの貫通孔７４が形成される。貫通孔７４は、電源収納部８０の内部まで貫通している。なお、段差部７２を電源収納部８０に含めてもよい。
【００２９】
電源収納部８０には電源部１００（図１）が収納される。電源収納部８０は、第２壁部７６（壁部）と、２つの凹部７８とを含む。第２壁部７６は略円筒状である。第２壁部７６は、設置部６２から離れるように、段差部７２の外縁から延びている。第２壁部７６の外径Ｒ１は、第１壁部６４の外径Ｒ２よりも大きい（図７）。凹部７８は、第２壁部７６に形成され、第２壁部７６の基端部から段差部７２まで延びている。凹部７８の長手方向の一方端部には、貫通孔７７が形成される。凹部７８の長手方向の一方端部は、凹部７８の長手方向の両端部のうち、第２壁部７６の基端側の端部である。なお、段差部７２の一対の貫通孔７４は、凹部７８の長手方向の他方端部を挟むように、段差部７２に形成されている。凹部７８の長手方向の他方端部は、凹部７８の長手方向の両端部のうち、段差部７２の側の端部、つまり、段差部７２において略Ｕ字状の切り欠きを形成している端部である。
【００３０】
第１壁部６４と段差部７２と第２壁部７６とは、例えば、配光の設計に応じて、光の反射率の高い色彩（例えば、白色）又は光の吸収率の高い色彩（例えば、黒色）に塗装される。設置部６２は、塗装しないことが好ましい。光源４５が発した熱を、設置部６２に伝達し易くするためである。
【００３１】
図５及び図６に示すように、電源収納部８０は、収納室８４と、４つの対流室８６と、２つの第１仕切壁８８ａと、２つの第２仕切壁８８ｂとを含む。また、電源収納部８０の基端は略円形に開口されている。つまり、電源収納部８０の基端には略円形状の開口部９１が形成される。
【００３２】
２つの第１仕切壁８８ａは、略板状であり、互いに略平行に配置される。２つの第１仕切壁８８ａは、電源部１００の位置決めを行う。第１仕切壁８８ａは、段差部７２の裏面から開口部９１に向かって延びている。そして、第１仕切壁８８ａの先端部は開口部９１に対向している。第１仕切壁８８ａの先端部にはネジ孔９０が形成されている。第１仕切壁８８ａの一対の側端部は、第２壁部７６の内面に接続されている。
【００３３】
第２仕切壁８８ｂは、第１仕切壁８８ａから突出し、凹部７８の裏面に接続される。第２仕切壁８８ｂは、段差部７２の裏面から開口部９１に向かって延びている。そして、第２仕切壁８８ｂの先端部は開口部９１に対向している。
【００３４】
電源収納部８０の内部空間は、２つの第１仕切壁８８ａと２つの第２仕切壁８８ｂとによって仕切られる。その結果、電源収納部８０には、収納室８４と４つの対流室８６とが形成される。
【００３５】
図７を参照して、電源部１００について説明する。図７は、図４のＡ−Ａ線に沿った断面図である。図７に示すように、電源部１００は収納室８４に収納される。電源部１００は、供給される商用電源電圧から、光源４５（具体的にはＬＥＤ群４２）を点灯させるための電源電圧を生成する。具体的には、電源部１００は、電源回路１０１ａと、基板１０１ｂと、ケース１０１ｃとを含む。ケース１０１ｃは、電源回路１０１ａ及び基板１０１ｂを収納する。
【００３６】
電源回路１０１ａは、商用電源電圧から、光源４５を点灯させるための電源電圧を生成する。そして、電源回路１０１ａは、電源線を介して電源電圧を光源４５に印加する。基板１０１ｂには、電源回路１０１ａが実装される。基板１０１ｂは、設置部６２に沿って配置される。具体的には、基板１０１ｂは、設置部６２に略平行に配置される。つまり、基板１０１ｂは、光軸中心線ＬＡに略直交するように配置される。従って、本実施形態によれば、基板を光軸中心線に略平行に配置する場合と比較して、光軸中心線ＬＡに沿う方向のサイズを小さくでき、光源ホルダー６０を低背化できる。光軸中心線ＬＡは、ＬＥＤ群４２に直交し、ＬＥＤ群４２の中心を通る。
【００３７】
引き続き、図７を参照して、光源ホルダー６０の放熱について説明する。図７に示すように、光源４５が発した熱は、例えば、次のようにして放散される。本明細書において、熱の放散とは放熱のことであり、発熱または蓄熱している物体から、その物体の周囲の空気へ熱が伝わることである。また、光源４５が発した熱の大部分は、ＬＥＤ群４２が発した熱である。
【００３８】
光源４５が発した熱は、設置部６２に伝達される。設置部６２は、伝達された熱を第１壁部６４に伝達する。第１壁部６４は、伝達された熱の一部を放散する。従って、第１壁部６４は放熱部として機能する。第１壁部６４に伝達された熱の他の一部は、段差部７２と第２壁部７６と第１仕切壁８８ａと第２仕切壁８８ｂ（図６）とに伝達される。段差部７２と第２壁部７６と第１仕切壁８８ａと第２仕切壁８８ｂとは、伝達された熱を放散する。従って、段差部７２と第２壁部７６と第１仕切壁８８ａと第２仕切壁８８ｂとは、放熱部として機能する。また、第１壁部６４と段差部７２と第２壁部７６と第１仕切壁８８ａと第２仕切壁８８ｂとは、電源部１００の発した熱を放散する。
【００３９】
特に、本実施形態によれば、段差部７２を設けることによって、光源ホルダーを円筒状に形成する場合と比較して、光源ホルダー６０の表面積を拡大できる。その結果、光源ホルダー６０による放熱効果を更に向上できる。
【００４０】
引き続き、図７を参照して、光源ホルダー６０の内部構造について説明する。図７に示すように、設置部６２に光源４５が設置される。そして、設置部６２は電源収納部８０に対向する。具体的には、設置部６２は収納室８４に対向する。そして、設置部６２は、電源収納部８０に対して所定間隔Ｄ１をあけて配置される。
【００４１】
従って、本実施形態によれば、光源４５と電源部１００との間での熱の相互干渉を低減できる。具体的には、電源部１００が発した熱が光源４５に伝達され難い。その結果、電源部１００が光源４５の発した熱の放散を妨げることを抑制できる。つまり、光源４５が発した熱を効果的に放散できる。また、光源４５が発した熱が電源部１００に伝達され難い。従って、電源部１００が発した熱を効果的に放散できる。
【００４２】
また、所定間隔Ｄ１をあけているため、設置部６２と電源収納部８０との間に空間６５が形成される。つまり、設置部６２と収納室８４との間に空間６５が形成される。本実施形態によれば、空間６５の存在によって、光源４５が発した熱が電源部１００に更に伝達され難いし、電源部１００が発した熱が光源４５に更に伝達され難い。その結果、光源４５が発した熱を更に効果的に放散できるし、電源部１００が発した熱を更に効果的に放散できる。
【００４３】
さらに、設置部６２は電源部１００に対向する。設置部６２は、電源部１００に対して所定間隔Ｄ２をあけて配置される。光源４５の光軸中心線ＬＡは、設置部６２と電源収納部８０と電源部１００とに交差している。具体的には、光軸中心線ＬＡは、設置部６２と空間６５と収納室８４と電源部１００とに交差している。
【００４４】
さらに、設置部６２の厚みｔ１及び第１壁部６４の厚みｔ２の各々は、第２壁部７６の厚みｔ３よりも大きい。本実施形態によれば、設置部６２の厚みｔ１が大きいため熱抵抗率が高くなり、光源４５が発した熱が電源部１００に更に伝達され難いし、電源部１００が発した熱が光源４５に更に伝達され難い。その結果、光源４５が発した熱を更に効果的に放散できるし、電源部１００が発した熱を更に効果的に放散できる。加えて、第１壁部６４の厚みｔ２が大きいため熱抵抗率が高くなり、光源４５が発した熱が電源部１００に更に伝達され難いし、電源部１００が発した熱が光源４５に更に伝達され難い。その結果、光源４５が発した熱を更に効果的に放散できるし、電源部１００が発した熱を更に効果的に放散できる。
【００４５】
図８を参照して、光源ホルダー６０の内部構造について説明する。図８は、図４のＢ−Ｂ線に沿った断面図である。図８に示すように、貫通孔７４は、光源ホルダー６０の外部から内部まで貫通しており、対流室８６の一部として機能する。つまり、対流室８６は貫通孔７４を含む。また、電源収納部８０には２つの連通路８９が形成される。具体的には、連通路８９は、対流室８６と収納室８４との間に形成され、対流室８６と収納室８４とを連通させる。連通路８９は、第１仕切壁８８ａの先端部に対向する。図８では、説明の便宜上、対流室８６と連通路８９との境界を破線Ａ２で示し、収納室８４と連通路８９との境界を破線Ａ３で示し、収納室８４と空間６５との境界を破線Ａ１で示している。
【００４６】
光源４５の点灯時及び点灯直後では、光源ホルダー６０の外部は、光源ホルダー６０の内部よりも温度が低い。従って、空間６５から貫通孔７４に向けて対流が発生する。その結果、光源４５が発した熱は、対流によって、空間６５から収納室８４に運ばれ、さらに収納室８４から連通路８９を通って対流室８６に運ばれる。そして、さらに、熱は、対流によって、貫通孔７４を通って、光源ホルダー６０の外部に運ばれる。従って、光源４５が発した熱及び電源部１００が発した熱の放散を促進できる。すなわち、本実施形態によれば、気体を対流させる対流室８６を設けることによって、熱の放散を促進できる。なお、貫通孔７４を通して、光源ホルダー６０の内部の水分を外部に蒸発させることができる。また、光源ホルダー６０を設置部６２が下方を向く姿勢にすることで、貫通孔７４を通して光源ホルダー６０の内部に溜まった水分を排出することができる。
【００４７】
以上、図１〜図７を参照して説明したように、本実施形態によれば、光源ホルダー６０の設置部６２は、電源収納部８０に対して所定間隔Ｄ１をあけて配置される。その結果、光源部４０が発した熱及び電源部１００が発した熱を効果的に放散できる。
【００４８】
また、図１〜図３を参照して説明したように、本実施形態によれば、光源ホルダー６０は、光源設置部７０と電源収納部８０とを備えている。従って、光源部４０と電源部１００と光源ホルダー６０とを１ユニットとして形成できる。その結果、様々なバリエーションの照明器具（照明器具１を含む。）の設計を効率化できる。また、光源部４０と電源部１００と光源ホルダー６０とを１ユニット化したものと、それ以外の構造物（例えば、セード及び／又は取付部品）とを、各々独立して製造できるため、組立作業の分業化ができ作業効率を向上できる。さらに、カバー３０と光源部４０と電源部１００と光源ホルダー６０とを１ユニットとして形成できる。その結果、様々なバリエーションの照明器具（照明器具１を含む。）の設計を効率化できる。また、カバー３０と光源部４０と電源部１００と光源ホルダー６０とを１ユニット化した光源ユニット１０と、それ以外の構造物（例えば、セード及び／又は取付部品）とを、各々独立して製造できるため、組立作業の分業化ができ作業効率を向上できる。
【００４９】
さらに、図７を参照して説明したように、光源ホルダー６０は、光源設置部７０と電源収納部８０とを備えている。従って、光源設置部７０の長さＨ２及び／又は電源収納部８０の長さＨ３を調整することによって、光源ホルダー６０の長さＨ１、つまり、光源ホルダー６０の基端から光源部４０までの距離Ｈ１を調整できる。その結果、発光位置の大きな変更を伴うことなく、照明器具１において、ＬＥＤランプを光源ユニット１０へ交換することができる。
【００５０】
具体例を挙げて説明する。一般的に、ＬＥＤランプは、光源と、半球状の光源カバーと、円筒状の筐体と、口金とを備えている。筐体の一方端部には、口金が取り付けられている。一方、筐体の他方端部には、光源が取り付けられるとともに、光源を覆うように光源カバーが取り付けられる。
【００５１】
照明器具に、光源ユニット１０ではなく、ＬＥＤランプが装着されている場合がある。そして、照明器具の製造者がＬＥＤランプを光源ユニット１０へ交換した照明器具１を製造する場合、光源ホルダー６０の基端から光源部４０までの距離Ｈ１が、ＬＥＤランプの口金から光源までの距離と略等しくなるように、光源設置部７０の長さＨ２及び／又は電源収納部８０の長さＨ３を設定する。従って、ＬＥＤランプと光源ユニット１０との間で、発光位置が略等しくなる。その結果、ＬＥＤランプの装着時と光源ユニット１０の装着時とで、配光が大きく異なることを抑制できる。なお、ＬＥＤランプの発光位置は光源の位置を示し、光源ユニット１０の発光位置は光源４５の位置を示す。
【００５２】
次に、図９を参照して、照明器具１の内部構造について説明する。図９は、照明器具１を示す断面図である。図９に示すように、照明器具１は、保持部材１７をさらに備える。保持部材１７は、保持部１５の内部に固定され、略ハット状である。ネジ８１は、光源ホルダー６０の貫通孔７７を介して保持部材１７に螺合される。その結果、光源ホルダー６０が保持部材１７に固定される。つまり、保持部材１７は光源ユニット１０を保持する。特に、本実施形態によれば、段差部７２を設けているため、工具（例えば、ドライバー）によってネジ８１を保持部材１７に螺合させる作業が容易になる。
【００５３】
また、光源ユニット１０は蓋部材８７をさらに備える。蓋部材８７は、略矩形状であるとともに、略板状である。蓋部材８７は電源部１００を覆う。蓋部材８７は、ネジ８３を蓋部材８７を介してネジ孔９０（図６）に螺合させることによって、光源ホルダー６０に取り付けられる。
【００５４】
（第１変形例）
図１及び図１０を参照して、本発明の実施形態の第１変形例に係る照明器具１について説明する。図１及び図１０に示すように、第１変形例に係る照明器具１は、図１を参照して説明した光源ホルダー６０に代えて、光源ホルダー６０Ａを備える。以下、光源ホルダー６０Ａが光源ホルダー６０と異なる点を主に説明する。
【００５５】
図１０は、光源ホルダー６０Ａを光源部４０の設置される側から示す斜視図である。図１０に示すように、光源ホルダー６０Ａは、光源設置部７０と、電源収納部８０とを備える。
【００５６】
光源設置部７０は、複数のフィン１１０（複数の放熱部）を含む。複数のフィン１１０は、略板状であり、第１壁部６４の周方向に沿って、第１壁部６４に形成される。フィン１１０は、熱を放散する。具体的には、フィン１１０は、光源部４０が発した熱及び電源部１００が発した熱を放散する。
【００５７】
電源収納部８０は、複数のフィン１１２（複数の放熱部）を含む。複数のフィン１１２は、略板状であり、第２壁部７６の周方向に沿って、第２壁部７６に形成される。フィン１１２は、熱を放散する。具体的には、フィン１１２は、光源部４０が発した熱及び電源部１００が発した熱を放散する。
【００５８】
以上、図１及び図１０を参照して説明したように、第１変形例によれば、本実施形態と同様に、光源部４０の発した熱及び電源部１００の発した熱を効果的に放散できる。その他、第１変形例は、本実施形態と同様の効果を有する。
【００５９】
また、第１変形例によれば、フィン１１０及びフィン１１２を備えているため、光源部４０の発した熱及び電源部１００の発した熱を更に効果的に放散できる。
【００６０】
（第２変形例）
図１及び図１１を参照して、本発明の実施形態の第２変形例に係る照明器具１について説明する。図１及び図１１に示すように、第２変形例に係る照明器具１は、図１を参照して説明した光源ホルダー６０に代えて、光源ホルダー６０Ｂを備える。以下、光源ホルダー６０Ｂが光源ホルダー６０と異なる点を主に説明する。
【００６１】
図１１は、光源ホルダー６０Ｂを光源部４０の設置される側から示す斜視図である。図１１に示すように、光源ホルダー６０Ｂは、略有底円筒状である。光源ホルダー６０Ｂは、光源設置部７０と、電源収納部８０とを備える。光源ホルダー６０Ｂには、図３に示すような段差部７２は形成されていない。図１１では、説明の便宜のため、破線Ａ４によって、光源設置部７０と電源収納部８０とを区別している。
【００６２】
光源設置部７０は、設置部６２と、第１壁部６４とを含む。設置部６２は、２つのネジ孔６６と、２つの貫通孔６８と、４つの貫通孔７４とを有する。貫通孔７４の機能は、図８を参照して説明した貫通孔７４の機能と同じである。電源収納部８０は第２壁部７６を含む。第１壁部６４と第２壁部７６とは連続して形成されている。
【００６３】
また、第２壁部７６から第１壁部６４にわたって凹部７８が形成される。凹部７８は、第２壁部７６の基端部から設置部６２まで延びている。凹部７８の長手方向の一方端部には、貫通孔７７が形成される。凹部７８の長手方向の一方端部は、凹部７８の長手方向の両端部のうち、第２壁部７６の基端側の端部である。なお、設置部６２の一対の貫通孔７４は、凹部７８の長手方向の他方端部を挟むように、設置部６２に形成されている。凹部７８の長手方向の他方端部は、凹部７８の長手方向の両端部のうち、設置部６２の側の端部、つまり、設置部６２において略Ｕ字状の切り欠きを形成している端部である。
【００６４】
光源設置部７０は、複数の凹部１１６（複数の放熱部）を含む。複数の凹部１１６は、断面略半円状であり、第１壁部６４の周方向に沿って、第１壁部６４に形成される。凹部１１６は、熱を放散する。具体的には、凹部１１６は、光源部４０が発した熱及び電源部１００が発した熱を放散する。
【００６５】
電源収納部８０は、複数の凹部１１８（複数の放熱部）を含む。複数の凹部１１６は、断面略半円状であり、第２壁部７６の周方向に沿って、第２壁部７６に形成される。凹部１１８は、熱を放散する。具体的には、凹部１１８は、光源部４０が発した熱及び電源部１００が発した熱を放散する。凹部１１６と凹部１１８とは連続して形成されている。
【００６６】
以上、図１及び図１１を参照して説明したように、第２変形例によれば、本実施形態と同様に、光源部４０が発した熱及び電源部１００が発した熱を効果的に放散できる。その他、第２変形例は、本実施形態と同様の効果を有する。
【００６７】
また、第２変形例によれば、凹部１１６及び凹部１１８を備えているため、光源部４０が発した熱及び電源部１００が発した熱を更に効果的に放散できる。
【００６８】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６９】
（１）本実施形態（以下、第１変形例及び第２変形例を含む。）において、第１壁部６４及び第２壁部７６は、略円筒状であったが、任意の形状であってもよい。例えば、第１壁部６４及び／又は第２壁部７６は、略角筒状であってもよい。また、１つの段差部７２を設けたが、複数の段差部７２を設けてもよいし、段差部７２を設けなくてもよい。さらに、厚みｔ１及び／又は厚みｔ２は、厚みｔ３以下であってもよい。
【００７０】
（２）本実施形態において、空間６５を形成したが、空間６５に吸熱体を配置してもよい。その結果、光源４５の発した熱をより速く放散できる。
【００７１】
（３）本実施形態において、電源部１００の基板１０１ｂは、設置部６２に沿って配置されていたが、設置部６２に対して略直交するように配置されていてもよい。その結果、光源ホルダー６０（６０Ａ、６０Ｂ）の幅を小さくできる。例えば、基板１０１ｂは、光軸中心線ＬＡに沿って配置される。つまり、基板１０１ｂは、光軸中心線ＬＡに略平行に配置される。
【００７２】
（４）第１変形例において、フィン１１０及びフィン１１２は略板状であったが、任意の形状であってもよい。また、フィン１１０を設け、フィン１１２を設けなくてもよい。一方、フィン１１２を設け、フィン１１０を設けなくてもよい。
【００７３】
（５）第２変形例において、凹部１１６及び凹部１１８は断面略半円状であったが、任意の形状であってもよい。また、凹部１１６を設け、凹部１１８を設けなくてもよい。一方、凹部１１８を設け、凹部１１６を設けなくてもよい。さらに、凹部１１６及び凹部１１８を設けなくてもよい。さらに、第１変形例のフィン１１０に代えて、凹部１１６を設けてもよいし、フィン１１２に代えて、凹部１１８を設けてもよい。
【００７４】
（６）照明器具１は、ポーチ灯であったが、任意の照明器具であってもよい。例えば、照明器具１は、ペンダントライトである。
【産業上の利用可能性】
【００７５】
本発明は、光源ホルダー、光源ユニット、及び照明器具を提供するものであり、産業上の利用可能性を有する。
【符号の説明】
【００７６】
１    照明器具
１０    光源ユニット
３０    カバー
４０    光源部
４４    基板
４５    光源
６０    光源ホルダー
６２    設置部
６４    第１壁部（放熱部）
７０    光源設置部
７２    段差部（放熱部）
７６    第２壁部（放熱部、壁部）
８０    電源収納部
８４    収納室
８６    対流室
１００    電源部（電源）
１０１ａ    電源回路
１０１ｂ    基板
１０１ｃ    ケース
１１０    フィン（放熱部）
１１２    フィン（放熱部）
１１６    凹部（放熱部）
１１８    凹部（放熱部）
【図１】
2016225029.tif 000003
【図２】
2016225029.tif 000004
【図３】
2016225029.tif 000005
【図４】
2016225029.tif 000006
【図５】
2016225029.tif 000007
【図６】
2016225029.tif 000008
【図７】
2016225029.tif 000009
【図８】
2016225029.tif 000010
【図９】
2016225029.tif 000011
【図１０】
2016225029.tif 000012
【図１１】
2016225029.tif 000013